(57)【要約】【課題】ある携帯端末装置から画像を表示させていた画像表示装置が実質的には使用されなくなった場合、他の携帯端末装置がその画像表示装置を選択して使用することを可能にする。【解決手段】制御部２０は、予め設定された範囲内に存在する携帯端末装置１４から無線通信部２６を介して送信される画像データを受信して、携帯端末装置１４において選択された画像表示装置１２ａ，１２ｂ又は１２ｃに表示させる制御を行う。そして、切替部２２は、画像表示装置１２ａを選択して画像を表示させていた携帯端末装置１４ａが予め設定された範囲内に存在しなくなった場合、他の携帯端末装置１４ｂに対してこの画像表示装置１２ａを選択可能な状態に切り替える。【選択図】図３
2019132984.tif 000002
【特許請求の範囲】
【請求項１】
予め設定された範囲内に存在する携帯端末装置から無線通信回線を介して送信される画像を受信して、選択された画像表示装置に表示させる制御を行う制御手段と、
画像表示装置を選択して画像を表示させていた携帯端末装置が前記予め設定された範囲内に存在しなくなった場合、他の携帯端末装置に対して当該画像表示装置を選択可能な状態に切り替える切替手段と、
を備えた表示制御装置。
【請求項２】
前記予め設定された範囲内に携帯端末装置が存在するか否かを検出する検出手段をさらに備える請求項１記載の表示制御装置。
【請求項３】
前記検出手段は、無線通信回線を介して無線通信を行っていた携帯端末装置が通信可能でなくなった場合に、前記携帯端末装置が前記予め設定された範囲内に存在しなくなったと検出する請求項２記載の表示制御装置。
【請求項４】
前記検出手段は、無線通信回線を介して無線通信を行っていた携帯端末装置の受信電波強度が、予め設定された値以下となった場合に、前記携帯端末装置が前記予め設定された範囲内に存在しなくなったと検出する請求項２記載の表示制御装置。
【請求項５】
前記検出手段は、無線通信回線を介して無線通信を行っていた携帯端末装置と自装置との距離が予め設定された範囲より大きくなった場合に、前記携帯端末装置が前記予め設定された範囲内に存在しなくなったと検出する請求項２記載の表示制御装置。
【請求項６】
前記切替手段は、画像表示装置を選択して画像を表示させていた携帯端末装置が前記予め設定された範囲内に存在する場合、他の携帯端末装置に対して当該画像表示装置を選択できない状態に切り替える請求項１から５のいずれか記載の表示制御装置。
【請求項７】
携帯端末装置が複数の表示領域を表示可能で、前記切替手段は、画像表示装置を選択して画像を表示させていた携帯端末装置の表示領域が選択状態でなくなった場合、他の携帯端末装置に対して当該画像表示装置を選択可能な状態に切り替える請求項１から６のいずれか記載の表示制御装置。
【請求項８】
前記切替手段は、画像表示装置を選択して画像を表示させていた携帯端末装置の表示領域の選択が他の表示領域の選択に切り替えられた場合に、当該携帯端末装置に対して前記画像表示装置を選択可能な状態に切り替える請求項７記載の表示制御装置。
【請求項９】
前記切替手段は、画像表示装置を選択して画像を表示させていた携帯端末装置の表示領域の選択が他の表示領域の選択に切り替えられた場合に、他の携帯端末装置に対して前記画像表示装置を選択できない状態に切り替える請求項７又は８記載の表示制御装置。
【請求項１０】
複数の画像表示装置に接続され、
前記制御手段は、予め設定された範囲内に存在する携帯端末装置から無線通信回線を介して送信される画像を受信して、前記複数の画像表示装置の中から選択された画像表示装置に表示させる制御を行う
請求項１から９のいずれか記載の表示制御装置。
【請求項１１】
少なくとも１つの画像表示装置と、
予め設定された範囲内に存在する携帯端末装置から無線通信回線を介して送信される画像を受信して、選択された画像表示装置に表示させる制御を行う制御手段と、画像表示装置を選択して画像を表示させていた携帯端末装置が前記予め設定された範囲内に存在しなくなった場合、他の携帯端末装置に対して当該画像表示装置を選択可能な状態に切り替える切替手段と、を備えた表示制御装置と、
を備えた表示制御システム。
【請求項１２】
前記制御手段は、予め設定された範囲内に存在する携帯端末装置上のアプリケーション毎のウィンドウ画面のアクティブ／非アクティブ状態に応じて、当該携帯端末装置が選択している画像表示装置が使用中か否かを判断する請求項１１記載の表示制御システム。
【発明の詳細な説明】
【技術分野】
【０００１】
本発明は、表示制御装置及び表示制御システムに関する。
【背景技術】
【０００２】
特許文献１には、Ｎ個（Ｎは２以上の整数）の画像表示装置に画像を供給する画像供給装置における画像表示制御方法であって、（ａ）画像表示装置とは異なる表示部にＮ個の画像表示装置と対応するＮ個の表示領域を形成するとともに、画像供給装置が表示するＮ個の表示画像とＮ個の表示領域との間で、一対一の対応関係が視覚的に認識されるようにＮ個の表示領域を表示部内に配置する工程と、（ｂ）各表示領域に表示された画像を対応する画像表示装置に供給する工程と、を含むことを特徴とする画像表示制御方法が開示されている。
【先行技術文献】
【特許文献】
【０００３】
【特許文献１】特開２０１１−４８８３６号公報
【発明の概要】
【発明が解決しようとする課題】
【０００４】
本発明の目的は、ある携帯端末装置から画像を表示させていた画像表示装置が実質的には使用されなくなった場合、他の携帯端末装置がその画像表示装置を選択して使用することを可能にする表示制御装置及び表示制御システムを提供することである。
【課題を解決するための手段】
【０００５】
［表示制御装置］
請求項１に係る本発明は、予め設定された範囲内に存在する携帯端末装置から無線通信回線を介して送信される画像を受信して、選択された画像表示装置に表示させる制御を行う制御手段と、画像表示装置を選択して画像を表示させていた携帯端末装置が前記予め設定された範囲内に存在しなくなった場合、他の携帯端末装置に対して当該画像表示装置を選択可能な状態に切り替える切替手段と、を備えた表示制御装置である。
【０００６】
請求項２に係る本発明は、前記予め設定された範囲内に携帯端末装置が存在するか否かを検出する検出手段をさらに備える請求項１記載の表示制御装置である。
【０００７】
請求項３に係る本発明は、前記検出手段は、無線通信回線を介して無線通信を行っていた携帯端末装置が通信可能でなくなった場合に、前記携帯端末装置が前記予め設定された範囲内に存在しなくなったと検出する請求項２記載の表示制御装置である。
【０００８】
請求項４に係る本発明は、前記検出手段は、無線通信回線を介して無線通信を行っていた携帯端末装置の受信電波強度が、予め設定された値以下となった場合に、前記携帯端末装置が前記予め設定された範囲内に存在しなくなったと検出する請求項２記載の表示制御装置である。
【０００９】
請求項５に係る本発明は、前記検出手段は、無線通信回線を介して無線通信を行っていた携帯端末装置と自装置との距離が予め設定された範囲より大きくなった場合に、前記携帯端末装置が前記予め設定された範囲内に存在しなくなったと検出する請求項２記載の表示制御装置である。
【００１０】
請求項６に係る本発明は、前記切替手段は、画像表示装置を選択して画像を表示させていた携帯端末装置が前記予め設定された範囲内に存在する場合、他の携帯端末装置に対して当該画像表示装置を選択できない状態に切り替える請求項１から５のいずれか記載の表示制御装置である。
【００１１】
請求項７に係る本発明は、携帯端末装置が複数の表示領域を表示可能で、前記切替手段は、画像表示装置を選択して画像を表示させていた携帯端末装置の表示領域が選択状態でなくなった場合、他の携帯端末装置に対して当該画像表示装置を選択可能な状態に切り替える請求項１から６のいずれか記載の表示制御装置である。
【００１２】
請求項８に係る本発明は、前記切替手段は、画像表示装置を選択して画像を表示させていた携帯端末装置の表示領域の選択が他の表示領域の選択に切り替えられた場合に、当該携帯端末装置に対して前記画像表示装置を選択可能な状態に切り替える請求項７記載の表示制御装置である。
【００１３】
請求項９に係る本発明は、前記切替手段は、画像表示装置を選択して画像を表示させていた携帯端末装置の表示領域の選択が他の表示領域の選択に切り替えられた場合に、他の携帯端末装置に対して前記画像表示装置を選択できない状態に切り替える請求項７又は８記載の表示制御装置である。
【００１４】
請求項１０に係る本発明は、複数の画像表示装置に接続され、前記制御手段は、予め設定された範囲内に存在する携帯端末装置から無線通信回線を介して送信される画像を受信して、前記複数の画像表示装置の中から選択された画像表示装置に表示させる制御を行う請求項１から９のいずれか記載の表示制御装置である。
【００１５】
［表示制御システム］
請求項１１に係る本発明は、少なくとも１つの画像表示装置と、予め設定された範囲内に存在する携帯端末装置から無線通信回線を介して送信される画像を受信して、選択された画像表示装置に表示させる制御を行う制御手段と、画像表示装置を選択して画像を表示させていた携帯端末装置が前記予め設定された範囲内に存在しなくなった場合、他の携帯端末装置に対して当該画像表示装置を選択可能な状態に切り替える切替手段と、を備えた表示制御装置と、を備えた表示制御システムである。
【００１６】
請求項１２に係る本発明は、前記制御手段は、予め設定された範囲内に存在する携帯端末装置上のアプリケーション毎のウィンドウ画面のアクティブ／非アクティブ状態に応じて、当該携帯端末装置が選択している画像表示装置が使用中か否かを判断する請求項１１記載の表示制御システムである。
【発明の効果】
【００１７】
請求項１に係る本発明によれば、ある携帯端末装置から画像を表示させていた画像表示装置が実質的には使用されなくなった場合、他の携帯端末装置がその画像表示装置を選択して使用することを可能にする表示制御装置を提供することができる。
【００１８】
請求項２に係る本発明によれば、画像を表示させていた画像表示装置が実質的には使用されなくなっているか否かを検出することを可能にする表示制御装置を提供することができる。
【００１９】
請求項３に係る本発明によれば、画像を表示させていた画像表示装置が実質的には使用されなくなっていることを検出することを可能にする表示制御装置を提供することができる。
【００２０】
請求項４に係る本発明によれば、画像を表示させていた画像表示装置が実質的には使用されなくなっていることを検出することを可能にする表示制御装置を提供することができる。
【００２１】
請求項５に係る本発明によれば、画像を表示させていた画像表示装置が実質的には使用されなくなっていることを検出することを可能にする表示制御装置を提供することができる。
【００２２】
請求項６に係る本発明によれば、ある携帯端末装置から画像を表示させて画像表示装置が使用されている場合、他の携帯端末装置がその画像表示装置を選択して使用することをできないようにする表示制御装置を提供することができる。
【００２３】
請求項７に係る本発明によれば、ある携帯端末装置から画像を表示させていた画像表示装置が実質的には使用されなくなった場合、他の携帯端末装置がその画像表示装置を選択して使用することを可能にする表示制御装置を提供することができる。
【００２４】
請求項８に係る本発明によれば、ある携帯端末装置から画像を表示させて画像表示装置が使用されている場合、当該携帯端末装置がその画像表示装置を選択して使用することを可能にする表示制御装置を提供することができる。
【００２５】
請求項９に係る本発明によれば、ある携帯端末装置から画像を表示させて画像表示装置が使用されている場合、他の携帯端末装置がその画像表示装置を選択して使用することをできないようにする表示制御装置を提供することができる。
【００２６】
請求項１０に係る本発明によれば、複数の画像表示装置の内、ある携帯端末装置から画像を表示させていた画像表示装置が実質的には使用されなくなった場合、他の携帯端末装置がその画像表示装置を選択して使用することを可能にする表示制御装置を提供することができる。
【００２７】
請求項１１に係る本発明によれば、ある携帯端末装置から画像を表示させていた画像表示装置が実質的には使用されなくなった場合、他の携帯端末装置がその画像表示装置を選択して使用することを可能にする表示制御システムを提供することができる。
【００２８】
請求項１２に係る本発明によれば、ある携帯端末装置から画像を表示させていた画像表示装置が実質的には使用されなくなった場合、他の携帯端末装置がその画像表示装置を選択して使用することを可能にする表示制御システムを提供することができる。
【図面の簡単な説明】
【００２９】
【図１】本発明の一実施形態における表示制御システムの一例を示す図である。
【図２】本発明の一実施形態における表示制御装置のハードウェア構成を示すブロック図である。
【図３】本発明の一実施形態における表示制御装置の制御構成を示すブロック図である。
【図４】本発明の一実施形態における表示制御装置の検出部の動作の一例を示す図である。
【図５】本発明の一実施形態における表示制御装置の切替部の動作の一例を示す図である。
【図６】本発明の一実施形態における表示制御システムを説明するための図である。
【図７】本発明の一実施形態における携帯端末装置の表示画面の一例を示す図である。
【図８】本発明の一実施形態における表示制御システムのフローを示す図である。
【図９】本発明の一実施形態における表示制御システムのフローを示す図である。
【図１０】本発明の一実施形態における表示制御システムのフローを示す図である。
【発明を実施するための形態】
【００３０】
次に、本発明の実施の形態について図面を参照して詳細に説明する。
【００３１】
先ず、本発明の一実施形態の表示制御システムの一例を図１に示す。この表示制御システムを備えた会議室等の空間１には、表示制御装置１０と、画像表示装置１２ａ，１２ｂ，１２ｃが設置されている。表示制御装置１０は、自装置の予め設定された範囲内に存在する携帯端末装置１４ａ，１４ｂ等の携帯端末装置１４を検出する。また、表示制御装置１０は、無線ＬＡＮ（Local Area Network）を利用して携帯端末装置１４ａ，１４ｂとの間で無線通信を行う。また、表示制御装置１０は、携帯端末装置１４ａ，１４ｂ上で稼動するアプリケーションのウィンドウ毎に選択された画像表示装置１２ａ〜１２ｃに対して画像データを送信して表示するように制御する。
【００３２】
例えば、携帯端末装置１４ａから送信されてきた画像を、選択された画像表示装置１２ａに表示させ、画像表示装置１２ａに画像を送信していた携帯端末装置１４ａにおいて画像表示装置１２ａの使用終了の操作が行われた場合、他の携帯端末装置１４ｂからその画像表示装置１２ａを選択して使用することが可能となる。
【００３３】
しかし、画像表示装置１２ａを選択して画像を表示させていたユーザが、使用終了の操作を行うことを忘れてしまった場合、他の携帯端末装置１４ｂのユーザはこの画像表示装置１２ａを選択して使用することができない。
【００３４】
そのため、本実施形態の表示制御システムは、例えば画像表示装置１２ａに画像を送信していた携帯端末装置１４ａにおいて画像表示装置１２ａの使用終了の操作が行われた場合の他に、画像表示装置１２ａが実質的には使用されなくなったと判断した場合、他の携帯端末装置１４ｂがその画像表示装置１２ａを選択して使用することが可能となる。以下、特に示さない場合は、携帯端末装置１４ａ，１４ｂは同様の構成の為、携帯端末装置１４として説明する。同様に、特に示さない場合は、画像表示装置１２ａ〜１２ｃは同様の構成の為、画像表示装置１２として説明する。
【００３５】
ここで画像表示装置１２が実質的には使用されなくなった場合とは、いずれかの携帯端末装置１４からの画像データを画像表示装置１２に表示している状態であるにもかかわらず、画像表示装置１２を選択して画像を表示させていたユーザが、使用終了の操作を行うことを忘れてしまった場合等をいう。
【００３６】
次に、本実施形態の表示制御装置１０のハードウェア構成を図２を参照して説明する。
【００３７】
表示制御装置１０は、図２に示されるように、ＣＰＵ１５、メモリ１６、ハードディスクドライブ（ＨＤＤ）等の記憶装置１８、ネットワークを介して画像表示装置１２等との間でデータの送信及び受信を行う通信インタフェース（ＩＦ）１７及び無線通信を行う無線通信部２６を有する。これらの構成要素は、制御バス１９を介して互いに接続されている。
【００３８】
ＣＰＵ１５は、メモリ１６または記憶装置１８に格納された制御プログラムに基づいて所定の処理を実行して、表示制御装置１０の動作を制御する。なお、本実施形態では、ＣＰＵ１５は、メモリ１６または記憶装置１８内に格納された制御プログラムを読み出して実行するものとして説明したが、当該プログラムをＣＤ−ＲＯＭ等の記憶媒体に格納してＣＰＵ１５に提供することも可能である。
【００３９】
図３は、上記の制御プログラムが実行されることにより実現される表示制御装置１０の機能構成を示すブロック図である。
【００４０】
本実施形態の表示制御装置１０は、図３に示されるように、制御部２０と、切替部２２と、検出部２４と、無線通信部２６と、画像送信部２８と、記憶部３０と、を備えている。
【００４１】
無線通信部２６は、無線ＬＡＮにより携帯端末装置１４との間で無線通信を行ってデータを送受信する。
【００４２】
検出部２４は、携帯端末装置１４が予め設定された範囲内に存在するか否か、携帯端末装置１４において画像を表示する画像表示装置１２ａ，１２ｂ又は１２ｃが選択されているか否か、表示中の画像データが携帯端末装置１４においてアクティブウィンドウであるか否か等を検出する。ここで、アクティブウィンドウとは、現在、携帯端末装置１４で選択され、操作対象となっているウィンドウをいう。
【００４３】
具体的には、検出部２４は、携帯端末装置１４が予め設定された範囲内に存在するか否かを検出する。例えば、検出部２４は、無線通信部２６により無線通信を行っていた携帯端末装置１４が通信可能でなくなった場合に、この携帯端末装置１４が自装置の予め設定された範囲内に存在しなくなったと検出する。また、検出部２４は、無線通信部２６により無線通信を行っていた携帯端末装置１４の受信電波強度が、予め設定された値以下となった場合に、この携帯端末装置１４が予め設定された範囲内に存在しなくなったと検出する。また、検出部２４は、無線通信部２６により無線通信を行っていた携帯端末装置１４と自装置との距離が予め設定された範囲より大きくなった場合に、この携帯端末装置１４が予め設定された範囲内に存在しなくなったと検出する。ここでの検出部２４としては、例えばセンサやビーコン等が用いられる。
【００４４】
そして、制御部２０は、携帯端末装置１４の位置情報や携帯端末装置１４における操作実績を取得し、所定の条件を満たす場合に、この携帯端末装置１４が画像表示装置１２ａ，１２ｂ又は１２ｃを使用中であると判断する。つまり、図４に示されているように、例えば画像表示装置１２ａを使用中の携帯端末装置１４が予め設定された範囲内に存在する、画像表示装置１２ａが選択されている、表示中の画像データがアクティブウィンドウである等の条件を満たす場合に、この携帯端末装置１４が画像表示装置１２ａを「使用中」であると判断する。また、画像表示装置１２ａを使用中の携帯端末装置１４が、予め設定された範囲内に存在し、画像表示装置１２ａが選択されている場合であっても、表示中の画像データがアクティブウィンドウでない場合や、画像表示装置１２ａを使用中の携帯端末装置１４が予め設定された範囲内に存在しなくなった場合には、この画像表示装置１２ａは「未使用」状態であると判断する。
【００４５】
切替部２２は、検出部２４の検出結果に応じて、画像表示装置１２ａ〜１２ｃのそれぞれについて携帯端末装置１４が選択可能な状態又は選択できない状態に切り替える。すなわち、切替部２２は、画像表示装置１２ａ〜１２ｃの利用状況に基づいて、画像表示装置１２ａ〜１２ｃをそれぞれ選択して使用可能な状態又は選択して使用できない状態（選択できない状態）に切り替える。
【００４６】
つまり、例えば画像表示装置１２ａに画像を表示させていた携帯端末装置１４ａが予め設定された範囲内に存在しなくなった場合には、この携帯端末装置１４ａが画像表示装置１２ａを「未使用」状態であると判断して、切替部２２は、他の携帯端末装置１４ｂに対してこの画像表示装置１２ａを選択可能な状態に切り替える。
【００４７】
また、例えば画像表示装置１２ａに画像を表示させていた携帯端末装置１４ａが予め設定された範囲内に存在する場合には、この携帯端末装置１４ａが画像表示装置１２ａを「使用中」であると判断して、切替部２２は、他の携帯端末装置１４ｂに対してこの画像表示装置１２ａを選択できない状態に切り替える。
【００４８】
また、例えば画像表示装置１２ａに画像を表示させていた携帯端末装置１４ａの表示領域であるウィンドウ画面が選択状態でなくなった場合、すなわちアクティブウィンドウではない場合、この携帯端末装置１４ａが画像表示装置１２ａを利用中であっても「未使用」状態であると判断して、切替部２２は、他の携帯端末装置１４ｂに対してこの画像表示装置１２ａを選択可能な状態に切り替える。
【００４９】
すなわち、制御部２０は、検出された画像表示装置１２ａ〜１２ｃの利用状況に基づき、携帯端末装置１４から画像表示装置１２ａ〜１２ｃに表示する際の制御をおこなう。具体的には、例えば携帯端末装置１４ａにより画像表示装置１２ａが「使用中」であると判断された場合には、他の携帯端末装置１４ｂからの割り込み表示ができないように制御する。また、画像表示装置１２ａが「未使用」状態であると判断された場合には、他の携帯端末装置１４ｂからの割り込み表示ができるように制御する。
【００５０】
また、例えば画像表示装置１２ａの利用状況が「使用中」である場合でも、図５に示されているように、画像表示装置１２ａの利用者自身（本人）は、表示制御装置１０を用いてこの画像表示装置１２ａを選択して利用して別の画像データを送信することができる、すなわち割り込み表示できる。また、画像表示装置１２ａの利用状況が「使用中」である場合には、画像表示装置１２ａの利用者以外（本人以外）は、表示制御装置１０を用いて画像表示装置１２ａを選択して利用することができない。また、画像表示装置１２ａの利用状況が「未使用」状態である場合には、利用者自身も利用者以外の者も画像表示装置１２ａを選択して利用することができる。
【００５１】
つまり、切替部２２は、例えば画像表示装置１２ａに画像を表示させていた携帯端末装置１４ａのウィンドウ画像の選択が他のウィンドウ画像の選択に切り替えられた場合に、当該携帯端末装置１４ａに対して画像表示装置１２ａを選択可能な状態に切り替える。また、切替部２２は、例えば画像表示装置１２ａを選択して画像を表示させていた携帯端末装置１４ａのウィンドウ画像の選択が他のウィンドウ画像の選択に切り替えられた場合に、他の携帯端末装置１４ｂに対して画像表示装置１２ａを選択できない状態に切り替える。
【００５２】
すなわち、図６に示されるように、携帯端末装置１４ａにおいて、画像表示装置１２ａ（ディスプレイ１）に画像を表示させていた携帯端末装置１４ａのウィンドウ画像Ｗ１の選択がウィンドウ画像Ｗ２の選択に切り替えられた場合に、表示制御装置１０は、ウィンドウ画像Ｗ２を画像表示装置１２ａ（ディスプレイ１）に表示するよう制御する。すなわち、携帯端末装置１４ａの利用者は、画像表示装置１２ａ（ディスプレイ１）に表示させていたウィンドウ画像Ｗ１の選択をウィンドウ画像Ｗ２に切り換えて画像表示装置１２ａ（ディスプレイ１）に表示させることが可能である。
【００５３】
また、表示制御装置１０は、携帯端末装置１４の表示画面を分割した複数の領域（ウィンドウ）に表示される画像を、それぞれ異なる画像表示装置１２ａ〜１２ｃに表示させることができる。具体的には、表示制御装置１０は、携帯端末装置１４ａの２つウィンドウ画像Ｗ１，Ｗ２をそれぞれ画像表示装置１２ａ及び画像表示装置１２ｃ等にそれぞれ表示するよう制御することができる。
【００５４】
記憶部３０は、制御プログラムや、画像表示装置１２ａ〜１２ｃの利用状況に関する情報、すなわち携帯端末装置１４が画像表示装置１２ａ〜１２ｃを選択して利用できるか否かの情報である表示リストを格納している。表示リストは、所定間隔で、例えば数分おきに検出されて、画像表示装置１２ａ〜１２ｃをそれぞれ選択可能な状態又は選択できない状態に切り替えられて格納される。なお、予め設定された範囲内にいる携帯端末装置１４を検出した際に、画像表示装置１２ａ〜１２ｃの利用状況を検出し、画像表示装置１２を選択可能な状態又は選択できない状態に切り替えるようにしてもよい。
【００５５】
そして、制御部２０は、記憶部３０に格納された表示リストに基づいて、画像表示装置１２ａ〜１２ｃ（ディスプレイ１〜３）のリストと利用状況に関する情報を、例えば図７に示されているように携帯端末装置１４の表示画面３２に表示するよう制御する。つまり、携帯端末装置１４において、画像表示装置１２ａ〜１２ｃ（ディスプレイ１〜３）の利用状況を確認し、未使用状態の画像表示装置１２ａ〜１２ｃのディスプレイを選択して使用することができるようになる。
【００５６】
そして、画像送信部２８は、携帯端末装置１４において選択された画像表示装置１２ａ，１２ｂ又は１２ｃに画像データを送信する。
【００５７】
すなわち、制御部２０は、予め設定された範囲内に存在する携帯端末装置１４から無線通信部２６を介して送信される画像データを受信して、携帯端末装置１４において選択された画像表示装置１２ａ，１２ｂ又は１２ｃに表示させる制御を行う。そして、切替部２２は、例えば画像表示装置１２ａを選択して画像を表示させていた携帯端末装置１４ａが予め設定された範囲内に存在しなくなった場合、他の携帯端末装置１４ｂに対してこの画像表示装置１２ａを選択可能な状態に切り替える。
【００５８】
図７には、携帯端末装置１４の表示画面３２の一例が示されている。
携帯端末装置１４の表示画面３２には、ウィンドウ画像Ｗ１と、ウィンドウ画像Ｗ２が表示されている。そして、携帯端末装置１４の表示画面３２上においてウィンドウ画像Ｗ１が選択されると、画像表示装置１２ａ（ディスプレイ１）にはウィンドウ画像Ｗ１の画像データが表示される。このとき、表示画面３２のメニュー欄３３には、表示制御システムの常駐プログラムの画像表示装置選択メニュー３４が表示される。この画像表示装置選択メニュー３４には、携帯端末装置１４の表示画面３２にあるすべてのウィンドウ画像毎のアプリケーション名とファイル名、使用可能な範囲内にある画像表示装置名と利用状況を表示し、未使用の画像表示装置を選択することができる。具体的には、ウィンドウ画像Ｗ１とウィンドウ画像Ｗ２の選択中のディスプレイ（又は未選択）が表示されて、その選択中のディスプレイ（又は未選択）をプルダウンすると画像表示装置１２ａ〜１２ｃ（ディスプレイ１〜３）のリストと利用状況が表示される。そして、各ウィンドウ画像Ｗ１，Ｗ２について画像データを表示する未使用の画像表示装置１２ａ〜１２ｃ（ディスプレイ１〜３）の選択が可能となっている。
【００５９】
また、各ウィンドウ画像Ｗ１，Ｗ２のウィンドウ画像メニュー欄３６には、ウィンドウ画像表示装置選択メニュー３６が表示される。このウィンドウ画像表示装置選択メニュー３６では、各ウィンドウ画像Ｗ１，Ｗ２について選択中のディスプレイ（又は未選択）が表示されて、その選択中のディスプレイ（未選択）をプルダウンすると画像表示装置１２ａ〜１２ｃ（ディスプレイ１〜３）のリストと利用状況が表示される。そして、各ウィンドウ画像Ｗ１，Ｗ２について画像データを表示する画像表示装置１２ａ〜１２ｃ（ディスプレイ１〜３）の選択が可能となっている。
【００６０】
つまり、携帯端末装置１４の表示画面３２上において、画像表示装置１２ａ〜１２ｃの利用状況を確認し、選択して利用することができる。
【００６１】
具体的には、図７に示されているように、ウィンドウ画像Ｗ１は、ディスプレイ１が選択されてディスプレイ１に表示中（使用中）であることが表示されている。また、ディスプレイ２は使用中で選択できない状態であることが表示されている。また、ディスプレイ３が未使用状態で選択可能な状態であることが表示されている。
【００６２】
つまり、表示制御装置１０を用いて例えば画像表示装置１２ａが「未使用」状態であると判断された場合には、携帯端末装置１４の表示画面３２に「未使用」であると表示され、携帯端末装置１４は、この画像表示装置１２ａを選択して画像データを表示することができる、すなわち割り込み表示できる。また、表示制御装置１０を用いて例えば画像表示装置１２ａが「使用中」であると判断された場合には、携帯端末装置１４の表示画面３２に「使用中」であると表示され、携帯端末装置１４は、この画像表示装置１２ａを選択して画像データを表示することができない、すなわち割り込み表示できない。なお、上述したとおり、画像表示装置１２ａが「使用中」であると表示されていても、表示中の画像表示装置１２ａの利用者が携帯端末装置１４自身である場合には、画像表示装置１２ａを選択可能であって、表示中のウィンドウ画像の選択を別のウィンドウ画像に切り換えて表示させることが可能である。なお、選択できない画像表示装置１２はグレーアウトし、選択可能な画像表示装置１２は濃く表示する、色分けして表示する等、区別して表示するようにしてもよい。
【００６３】
次に、本実施形態の表示制御システムにおける動作を図８〜１０のフローチャートを参照して詳細に説明する。
【００６４】
先ず、表示制御装置１０は、予め設定された範囲内にいる携帯端末装置１４を検出すると（ステップＳ１０においてＹｅｓ）、画像表示装置１２ａ〜１２ｃの表示リストを携帯端末装置１４に送信する（ステップＳ１１）。
【００６５】
携帯端末装置１４は、表示制御装置１０から表示リストを受信すると、例えば上述した図７に示されるように、画像表示装置１２ａ〜１２ｃ（ディスプレイ１〜３）のリストと利用状況が、画像表示装置選択メニュー３４やウィンドウ画像表示装置選択メニュー３６にそれぞれ表示される（ステップＳ１２）。
【００６６】
そして、携帯端末装置１４の画像表示装置選択メニュー３４やウィンドウ画像表示装置選択メニュー３６において画像データを表示する画像表示装置１２が選択されると（ステップＳ１３）、表示制御装置１０は、選択された例えば画像表示装置１２ａが使用中であるか否かが判定される（ステップＳ１４）。
【００６７】
そして、選択された画像表示装置１２ａが使用中であると判定された場合には（ステップＳ１４においてＹｅｓ）、選択された画像表示装置１２ａが自身が使用中の画像表示装置１２ａであるか否かが判定される（ステップＳ１５）。選択された画像表示装置１２ａが未使用であると判定された場合や（ステップＳ１４においてＮｏ）、選択された画像表示装置１２ａが自分が使用中の画像表示装置１２ａである場合には（ステップＳ１５においてＹｅｓ）、選択された画像表示装置１２ａの状態を「使用中」に切り替える（ステップＳ１６）。
【００６８】
そして、携帯端末装置１４から表示制御装置１０へウィンドウ画像の画像データが送信される（ステップＳ１７）。ここで、携帯端末装置１４は、携帯端末装置１４のウィンドウ画像を表示制御装置１０に次のタイミングで送信する。すなわち、ウィンドウ画像を表示して、表示する画像表示装置１２ａを選択したとき、又は画像表示装置１２ａを選択したウィンドウ画像上で実行ボタンを押す等の何等かの操作を行ったときに、表示制御装置１０にウィンドウ画像を送信する。
【００６９】
そして、表示制御装置１０は、携帯端末装置１４からウィンドウ画像を受信すると、このウィンドウ画像を携帯端末装置１４において選択された画像表示装置１２ａに送信する（ステップＳ１８）。
【００７０】
そして、画像表示装置１２ａは、表示制御装置１０からウィンドウ画像を受信すると、この受信したウィンドウ画像を画像表示装置１２ａのディスプレイ１に表示する（ステップＳ１９）。
【００７１】
そして、表示制御装置１０は、画像表示装置１２ａに表示中の画像がアクティブウィンドウか否かが判定される（ステップＳ２０）。そして、アクティブウィンドウでないと判定された場合には（ステップＳ２０においてＮｏ）、画像表示装置１２ａの状態を「未使用」に切り替える（ステップＳ２２）。
【００７２】
そして、アクティブウィンドウであると判定された場合には（ステップＳ２０においてＹｅｓ）、画像表示装置１２ａにおいて改ページや入力等のウィンドウ画像が操作されたか否かが判定される（ステップＳ２１）。そして、ウィンドウ画像が操作されていないと判定された場合には（ステップＳ２１においてＮｏ）、ステップＳ２０の処理に戻る。
【００７３】
そして、ウィンドウ画像が操作されたと判定された場合には（ステップＳ２１においてＹｅｓ）、ステップＳ１７の処理に戻る。
【００７４】
図９及び図１０は、表示制御システムにおける画像表示装置１２ａの表示終了のフローを示す図である。
【００７５】
図９に示されているように、携帯端末装置１４においてウィンドウ画像の表示が終了すると（ステップＳ２３）、表示制御装置１０は、画像表示装置１２ａの状態を「未使用」に切り替える（ステップＳ２４）。そして、表示制御装置１０は、画像表示装置１２ａにおけるウィンドウ画像の表示を終了するように制御する（ステップＳ２５）。
【００７６】
また、図１０に示されているように、表示制御装置１０は、所定間隔おきに画像表示装置１２ａ〜１２ｃを使用している携帯端末装置１４を検出する（ステップＳ２６）。そして、画像表示装置１２ａが未使用状態、すなわち画像表示装置１２ａを使用中の携帯端末装置１４が、予め設定された範囲内に存在しなくなった、表示中の画像データがアクティブウィンドウでなくなった等の場合には（ステップＳ２７においてＹｅｓ）、表示制御装置１０は、画像表示装置１２ａの状態を「未使用」に切り替える（ステップＳ２８）。そして、表示制御装置１０は、画像表示装置１２ａにおけるウィンドウ画像の表示を終了するように制御する（ステップＳ２９）。
【００７７】
なお、表示制御装置１０は、携帯端末装置１４による画像表示装置１２ａの利用状況を所定間隔で確認し、画像表示装置１２ａへの画像データの送信を停止するよう制御することができる。
【００７８】
[変形例]
上記実施形態では、携帯端末装置を用いて会議室等の空間１において画像データを送信する表示制御システムに対して本発明を適用した場合を用いて説明したが、本発明はこれに限定されるものではない。携帯端末装置を用いて画像表示装置に表示するような表示制御システムであれば同様に本発明を適用することができるものである。
【００７９】
また、上記実施形態では、携帯端末装置１４ａ，１４ｂにおける画像を複数の画像表示装置１２ａ〜１２ｃに表示する構成について説明したが、本発明はこれに限定されるものではない。少なくとも１つの携帯端末装置１４における画像を少なくとも１つの画像表示装置１２に表示する場合にも同様に本発明を適用することができるものである。
【００８０】
また、上記実施形態では、携帯端末装置１４としてノートパソコンを用いた場合を例にして説明したが、本発明はこれに限定されるものではなく、スマートフォンやタブレット端末等のユーザが携帯可能な端末装置を用いた場合にも適用することができるものである。
【符号の説明】
【００８１】
１０    表示制御装置
１２    画像表示装置
１４    携帯端末装置
１５    ＣＰＵ
１６    メモリ
１７    通信ＩＦ
１８    記憶装置
２０    制御部
２２    切替部
２４    検出部
２６    無線通信部
２８    画像送信部
３０    記憶部
【図１】
2019132984.tif 000003
【図２】
2019132984.tif 000004
【図３】
2019132984.tif 000005
【図４】
2019132984.tif 000006
【図５】
2019132984.tif 000007
【図６】
2019132984.tif 000008
【図７】
2019132984.tif 000009
【図８】
2019132984.tif 000010
【図９】
2019132984.tif 000011
【図１０】
2019132984.tif 000012